(57)【要約】【課題】  照明用の部品数を削減し、コストダウンを図るとともに、照明品位が良好な計器装置を提供する。【解決手段】  表示パネル３は、光源２からの光によって透過照明される。指針５は、表示パネル３上を回動する。駆動本体４は、表示パネル３の裏面側に配設され、指針５を回動させる。第一の導光体６は、表示パネル３の裏面側に配設される。第二の導光体７は、第一の導光体６に近接配置され、光源２から発せられた光を第一の導光体６へ照射する。第一の導光体６は、表示パネル３へ光を出射する第一の光出射部６ｂを備えると共に、指針５の前記光入射部５ａへ光を出射する第二の光出射部６ｃを備える。【選択図】図１
2009222450.tif 000002
【特許請求の範囲】
【請求項１】
光源と、前記光源からの光によって透過照明される表示パネルと、前記表示パネル上を回動する指針と、前記表示パネルの裏面側に配設され前記指針を回動させる駆動本体と、を有する計器装置であって、
前記表示パネルの裏面側に配設された第一の導光体と、前記第一の導光体に近接配置され前記光源から発せられた光を前記第一の導光体へ照射する第二の導光体と、前記指針に設けられる光入射部と、を備え、
前記第一の導光体は、前記表示パネルへ光を出射する第一の光出射部を備えると共に、前記指針の前記光入射部へ光を出射する第二の光出射部を備えてなることを特徴とする計器装置。
【請求項２】
前記第二の導光体は、直線的または曲線的に延びた形状をしていることを特徴とする請求項１に記載の計器装置。
【請求項３】
前記第二の導光体は、少なくとも１側面に前記光源からの光が入射する第二の光入射部が備えられていることを特徴とする請求項１に記載の計器装置。
【請求項４】
前記第二の導光体は、前記光源からの光を前記第一の導光体方向へ反射させる光反射部を備えてなることを特徴とする請求項１に記載の計器装置。
【発明の詳細な説明】
【技術分野】
【０００１】
本発明は、車両等に搭載される計器装置に関するものであり、特に、指針にて表示パネルを指示する計器装置に関するものである。
【背景技術】
【０００２】
従来より、アナログ式計器装置が種々提案されており、例えば特許文献１に開示されている。斯かるアナログ式計器装置は、液晶表示パネルで目盛板を構成したものであり、前記液晶表示パネルに貫通孔を設けて、その貫通孔に指針の回転軸を挿通して指針を回動させるようにしたものである。計器装置の指針や液晶表示パネルの照明は、専用の光源を直下に配置する構成としている。
【特許文献１】特開２００２−７２１６４号公報
【発明の開示】
【発明が解決しようとする課題】
【０００３】
しかしながら、このような計器装置にあっては、指針や液晶表示パネルを照明するために、夫々、専用の光源を設けなければならないだけでなく、液晶表示パネルに輝度ムラが発生したり、指針回動時に指針の輝度が変化したりするという問題を有していた。
本発明は、この問題に鑑みなされたものであり、照明用の部品数を削減し、コストダウンを図るとともに、照明品位が良好な計器装置を提供するものである。
【課題を解決するための手段】
【０００４】
本発明は、請求項１に記載したように、光源２と、前記光源２からの光によって透過照明される表示パネル３と、前記表示パネル３上を回動する指針５と、前記表示パネル３の裏面側に配設され前記指針５を回動させる駆動本体４と、を有する計器装置１であって、前記表示パネル３の裏面側に配設された第一の導光体６と、前記第一の導光体６に近接配置され前記光源２から発せられた光を前記第一の導光体６へ照射する第二の導光体７と、前記指針５に設けられる光入射部５ａと、を備え、前記第一の導光体６は、前記表示パネル３へ光を出射する第一の光出射部６ｂを備えると共に、前記指針５の前記光入射部５ａへ光を出射する第二の光出射部６ｃを備えてなるものである。
【０００５】
また、本発明は、請求項２に記載したように、前記第二の導光体７は、直線的または曲線的に延びた形状をしているものである。
【０００６】
また、本発明は、請求項３に記載したように、前記第二の導光体７は、少なくとも１側面に前記光源２からの光が入射する第二の光入射部７ａが備えられているものである。
【０００７】
また、本発明は、請求項４に記載したように、前記第二の導光体７は、前記光源２からの光を前記第一の導光体６方向へ反射させる光反射部７ｂを備えてなるものである。
【発明の効果】
【０００８】
第一の導光体が出射した光にて表示パネル及び指針を照明することができ、照明用の部品数を削減し、照明品位を良好にすることができる。
【発明を実施するための最良の形態】
【０００９】
以下、添付図面に基づいて、本発明の一実施形態を説明する。計器装置１は、光源２と、所定の表示をなす液晶表示パネル３と、液晶表示パネル３の裏面側に配設される駆動本体４と、液晶表示パネル３上を回動する指針５と、光源２が発した光が入射する第一の導光体６と、前記光を液晶表示パネル３に照射する第二の導光体７とで、主に構成されている。
【００１０】
光源２は発光ダイオード（ＬＥＤ）等の発光素子からなるものであり、光源２は第二の導光体７の光入射部７ａに光を照射する。液晶表示パネル３は、一対の透光性基板に液晶を封入した液晶セルの前後両面に偏光膜を貼着したものであり、指針５に指示される指標部等を表示する。液晶表示パネル３の裏面側には、光源２からの光を液晶表示パネル３へ導く第一の導光体６が配設されている。
【００１１】
駆動本体４はステッピングモータからなるものであり、指針５を装着する軸部４ａを有している。液晶表示パネル３には、駆動本体４の軸部４ａを挿通する穴部３ａが形成されている。指針５は、駆動本体４によって回動され、液晶表示パネル３に表示された指標部を指示するものである。指針５は、第一の導光体６からの光が入射する光入射部５ａを備えており、この光入射部５ａから入射した光によって光輝する。
【００１２】
第一の導光体６は、透光性樹脂からなるものであり、液晶表示パネル３へ光を出射する前面からなる第一の光出射部６ｂを備えて、且つ、指針５に備えられる光入射部５ａへ光を出射する反射面からなる第二の光出射部６ｃを備えている。第一の導光体６には、液晶表示パネル３の所定箇所に設けられた穴部３ａに対応する穴部６ａが形成されており、この穴部６ａに駆動本体４の軸部４ａが挿通される。第一の導光体６の外縁付近には、光源２からの光を第一の導光体６へ導く第二の導光体７が配設されている。
【００１３】
第二の導光体７は、透光性樹脂からなるものであり、第一の導光体６の周縁を取り巻くように曲線的に延びた形状をしている。第二の導光体７は、光源２からの光を入射する光入射部７ａと、光源２からの光を第一の導光体６の方向へ反射させる光反射部７ｂとを有している。
【００１４】
光源２が発した光は、第二の導光体７の光入射部７ａから入射し、光反射部７ｂにて第一の導光体６に反射される。そして、第二の導光体７から第一の導光体６に入射した光は、第一の出射部６ｂから出射して液晶表示パネル３を透過照明すると共に、第二の出射部６ｂから指針５の光入射部５ａに出射されて指針５を光輝させる。
【００１５】
本実施形態によれば、光源２が発した光にて液晶表示パネル３及び指針５を照明することができ、且つ、第一の導光体６及び第二の導光体７を介して、液晶表示パネル３を透過照明するため、照明品位が良好になる。なお、本実施形態は表示パネルとして液晶表示パネル３を用いたものであったが、表示パネルは、指標部を印刷形成した文字盤であっても良い。
【図面の簡単な説明】
【００１６】
【図１】本実施形態を示す正面図。
【図２】同上実施形態を示す第一，第二の導光体の正面図。
【図３】同上実施形態を示す断面図。
【符号の説明】
【００１７】
２    光源
３    液晶表示パネル（表示パネル）
４    駆動本体
５    指針
５ａ  光入射部
６    第一の導光体
６ｂ  第一の光出射部
６ｃ  第二の光出射部
７    第二の導光体
７ａ  光入射部（第二の光入射部）
７ｂ  光反射部
【図１】
2009222450.tif 000003
【図２】
2009222450.tif 000004
【図３】
2009222450.tif 000005